(57)【要約】【課題】  シール部材の内部への水の侵入が防止された転がり軸受装置を提供する。【解決手段】  外輪部材２と、内輪部材４と、軸方向一端側にフランジ５を有するハブ輪６と、外輪部材の軸方向一端部２ａとこれに軸方向で対向するフランジの内側面５ａとの間をシールするシール部材７とを備えた転がり軸受装置１において、シール部材７は、外輪部材の軸方向一端部２ａに嵌合され当該一端部２ａから軸方向フランジ側に延びる筒状の芯金１０と、この芯金１０に固着されると共に芯金１０からフランジの内側面５ａに渡って略軸方向に向けて形成された弾性体からなる環状のリップ部１１とを備えている。【選択図】      図２
2007064356.tif 000002
【特許請求の範囲】
【請求項１】
外輪部材と、この外輪部材の径方向内側で転動体を介して前記外輪部材と同心に配置された内輪部材と、軸方向一端側にフランジを有しかつ外周面に前記内輪部材が外嵌されたハブ輪と、前記外輪部材の軸方向一端部とこれに軸方向で対向する前記フランジの内側面との間でシールするシール部材とを備えた転がり軸受装置において、
前記シール部材は、前記外輪部材の軸方向一端部に嵌合され当該一端部から軸方向フランジ側に延びる筒状の芯金と、この芯金に固着されると共に当該芯金から前記フランジの内側面に渡って略軸方向に向けて形成された弾性体からなる環状のリップ部とを備えていることを特徴とする転がり軸受装置。
【請求項２】
前記リップ部は、先端縁から軸方向外輪部材側に向かうに従って径方向内側に傾斜する外周傾斜面を有している請求項１に記載の転がり軸受装置。
【請求項３】
前記リップ部は、先端縁から軸方向外輪部材側に向かうに従って径方向内側に傾斜する内周傾斜面を有している請求項１又は２に記載の転がり軸受装置。
【請求項４】
前記芯金は、径方向最下部に前記シール部材の内部に侵入した水を排出する排水孔を有している請求項１〜３のいずれか一項に記載の転がり軸受装置。
【発明の詳細な説明】
【技術分野】
【０００１】
本発明は、自動車の駆動輪を軸受で支持する転がり軸受装置に関する。
【背景技術】
【０００２】
自動車の駆動軸に取り付けられた車輪の支持用に各種の転がり軸受装置が採用されている。例えば重量の大きいオフロード車の前後輪は、隣接して配置された二つのころ軸受を含む転がり軸受装置によって駆動軸に取り付けられている。このような転がり軸受装置としては、外輪部材と、この外輪部材の径方向内側で転動体を介して外輪部材と同心に配置された内輪部材と、軸方向一端側にフランジを有しかつ外周面に内輪部材が外嵌されたハブ輪とを備えたものがあり、上記外輪部材の軸方向一端部とこれに軸方向で対向するフランジの内側面との間には隙間があるため、その隙間を塞ぐためのシール部材が設けられている（例えば、特許文献１参照）。
【特許文献１】特開２００１−２４２１８８号公報
【発明の開示】
【発明が解決しようとする課題】
【０００３】
上記転がり軸受装置に設けられたシール部材は、フランジ側に突き出た外輪部材端部の内周側に装着されているため、シール部材の外部側に環状空間が形成されている。また、外輪部材端部とフランジの内側面間の幅が狭まっていることから、当該環状空間に入ってきた水は、排出されずに溜ってしまい、シール部材の内部への水の侵入を十分に防ぐことができないという問題がある。
本発明はこのような従来技術の問題点に鑑み、シール部材の内部への水の侵入が十分に防止された転がり軸受装置を提供することを目的とする。
【課題を解決するための手段】
【０００４】
上記目的を達成するため、本発明は次の技術的手段を講じた。
すなわち、本発明は、外輪部材と、この外輪部材の径方向内側で転動体を介して前記外輪部材と同心に配置された内輪部材と、軸方向一端側にフランジを有しかつ外周面に前記内輪部材が外嵌されたハブ輪と、前記外輪部材の軸方向一端部とこれに軸方向で対向する前記フランジの内側面との間をシールするシール部材とを備えた転がり軸受装置において、前記シール部材は、前記外輪部材の軸方向一端部に嵌合され当該一端部から軸方向フランジ側に延びる筒状の芯金と、この芯金に固着されると共に前記芯金から前記フランジの内側面に渡って略軸方向に向けて形成された弾性体からなる環状のリップ部とを備えていることを特徴とする。
【０００５】
上記本発明の転がり軸受装置によれば、芯金とこれに固着されたリップ部よりなるシール部材で、フランジと外輪部材との間がシールされており、芯金は外輪部材の軸方向一端部から軸方向フランジ側に延び、リップ部は芯金からフランジの内周面に渡って略軸方向に向けて形成されているため、シール部材は外輪部材とフランジとの隙間より径方向内側へは入り込んでおらず、シール部材の外部側に環状空間は形成されない。従って、シール部材の外部側に水が溜らず、シール部材の内部への水の侵入を十分に防ぐことができる。
【０００６】
上記本発明において、前記リップ部は先端縁から軸方向外輪部材側に向かうに従って径方向内側に傾斜する外周傾斜面を有していることが好ましい。リップ部がこのような外周傾斜面を有していることにより、フランジの内側面を伝わってきた水は当該外周傾斜面に沿って流れるため、先端縁からの水の侵入を効果的に防止することができる。
【０００７】
また、シール部材の内側に水が侵入した場合であっても、前記リップ部に、先端縁から軸方向外輪部材側に向かうに従って径方向内側に傾斜する内周傾斜面を形成することにより、シール部材下部に回り込んできた水は当該内周傾斜面に沿って外部に排出される。
【０００８】
上記本発明において、前記芯金は径方向最下部に前記シール部材の内部に侵入した水を排出する排水孔を有していることが好ましく、これによりシール部材の内部に浸入した水を速やかに排水することができる。
【発明の効果】
【０００９】
上記の通り本発明によれば、シール部材の外部側に環状空間が形成されないようにして、水が溜らないようにしたので、シール部材の内部への水の侵入を十分に防止することができる。
【発明を実施するための最良の形態】
【００１０】
以下、本発明の実施形態について図面を参照しながら説明する。図１は、本発明に係る転がり軸受装置１の一実施形態を示している。本実施形態の転がり軸受装置１は、例えばオフロード車の後輪に取り付けて使用されるものであり、図示のように外輪部材２と、この外輪部材２の径方向内側で転動体３を介して外輪部材２と同心に配置された内輪部材４と、軸方向一端側にフランジ５を有しかつ外周面に内輪部材４が外嵌されたハブ輪６と、外輪部材２の軸方向一端部とこれに軸方向で対向するフランジの内側面５ａとの間をシールするシール部材７とを備えている。
【００１１】
ハブ輪６の外周には小径部が形成されており、この小径部に転がり軸受が構成されている。同転がり軸受は複列円すいころ軸受として構成されたものであり、中央部から軸方向両端側へ向けて大きくなる一対のテーパ状軌道面が設けられた単一の外輪部材２と、外輪軌道に対向する内輪軌道がそれぞれ設けられた一対の内輪部材４と、互いに対向する内外輪軌道面に転動自在に配列された複数の転動体としての円すいころ３、及び円すいころ３をそれぞれ周方向に所定間隔で保持する保持器８とを備えている。このうち内輪部材４は、ハブ輪６の軸方向端部のかしめ部９によりかしめ付けられて、その一端面を段差面６ａに当接させた状態で固定されている。
【００１２】
図２（ａ）に示すように、シール部材７は筒状に形成された芯金１０とこの芯金１０に固着された弾性体からなる環状のリップ部１１とからなり、当該芯金１０は外輪部材の端部２ａに嵌合された拡径部１０Ａと当該端部２ａから軸方向フランジ側に延びる本体部１０Ｂとを有している。また、本体部１０Ｂはリップ部１１の軸方向中央あたりまで入り込んでおり、リップ部１１が芯金から剥がれ落ちないようになっている。リップ部１１は、本体部１０Ｂの一部を内外から覆うように固着されると共に、本体部１０Ｂからフランジの内側面５ａに渡って略軸方向に向けて形成されており、さらにフランジの内側面５ａに向かうに従って径方向厚みが広がっている。そして、先端縁１１ａがフランジの内側面５ａに接触することでリップ部１１とフランジの内側面５ａ間がシールされている。また、当該リップ部１１は、先端縁１１ａから軸方向外輪部材２側に向かうに従って径方向内側に傾斜する外周傾斜面ｇ、先端縁１１ａから軸方向外輪部材２側に向かうに従って径方向内側に傾斜する内周傾斜面ｎ、及び、内周傾斜面ｎから軸方向外輪部材２側へ向かう内周面ｍ、この内周面ｍから本体部１０Ｂへ迫り上がる内側面ｓによって構成されている。
【００１３】
シール部材７は以上のような構成を有しているため、外輪部材２とフランジ５との隙間から径方向内側へは入り込んでおらず、シール部材７の外部側に水が溜るような環状空間は形成されない。従ってシール部材７まできた水は溜ることがない。また、上記外周傾斜面ｇの傾斜によりリップ部の先端縁１１ａは、フランジの内側面５ａに向かって軸方向、あるいはそれより下向きに当てられているのではなく、フランジの内側面５ａに向かって軸方向より上向きに当てられている。従って、先端縁１１ａの径をφＡとし、本体部１０Ｂの外径をφＢとしたときに、φＡ＞φＢとなっている。これにより、図２（ａ）の矢印１４に示すように、フランジの内側面５ａを伝わってきた水は先端縁１１ａを通り過ぎて外周傾斜面ｇに沿って流れる。更に、シール部材７の内側に水が侵入した場合であっても、上記内周傾斜面ｎを有していることにより、図２（ｂ）の矢印１５に示すように、シール部材７下部にきた水は当該内周傾斜面ｎに沿って外部に排出される。
【００１４】
上記本実施形態の転がり軸受装置１によれば、シール部材７の外部側に水が溜るような環状空間は形成されず、更に外周傾斜面ｇの存在によりリップ部の先端縁１１ａからの水の侵入を効果的に防止することができる。また、シール部材７の内部に水が浸入した場合でも、これを排水することができる。本発明は上記実施形態に限定するものではない。例えば、図３に示すように本体部１０Ｂの径方向最下部に、シール部材７の内部に侵入した水を排出する排水孔１７を形成してもよい。この排水孔１７は、本体部１０Ｂの外輪部材端部２ａ近傍でリップ部１１のないところに設けられている。このような排水孔１７を設ければ、シール部材７の内部に浸入した水を速やかに排水することができる。なお、外輪部材、内輪部材、転動体、あるいはハブ軸等の形態等は上記実施形態のものに限定されるものではない。
【図面の簡単な説明】
【００１５】
【図１】シール部材が装着された複列転がり軸受装置の断面図である。
【図２】（ａ）は要部拡大上部断面図であり、（ｂ）は。要部拡大下部拡大図である。
【図３】排水孔が設けられたシール部材の要部拡大下部断面図である。
【符号の説明】
【００１６】
１      転がり軸受受装置
２      外輪部材
２ａ    端部
５ａ    フランジの内側面
６      ハブ輪
７      シール部材
１０Ｂ  本体部
１１    リップ部
１１ａ  先端縁
１７    排水孔
【図１】
2007064356.tif 000003
【図２】
2007064356.tif 000004
【図３】
2007064356.tif 000005